(57)【要約】【目的】本発明は、携帯端末からの店舗の電子クーポンの発行依頼に対応して電子クーポンを配布する割引による集客装置および割引券配布方法に関し、店舗の空数に対応した適切な割引率を動的に設定した電子クーポン券を顧客に配布し、顧客の電子クーポンの利便性を向上させると共に店舗側の来店顧客率の促進を図ることを目的とする。【構成】店舗名、空数、位置情報を登録した店舗情報テーブルと、店舗の空数に対応づけて来店時間と割引率を登録した割引率設定テーブルと、携帯端末から電子クーポン配布依頼を受信した場合に、所定距離範囲内の店舗ＩＤをもとに割引率設定テーブルを参照し、来店時間に対応づけた割引率を取り出す手段と、割引率のリストを作成して携帯端末に返信する手段と、リスト中から選択された店舗名と来店時間に対応する割引率を設定した電子クーポン券を返信し、携帯端末に保存させる手段とを備える。【選択図】        図１
2010231260.tif 000002
【特許請求の範囲】
【請求項１】
携帯端末からの店舗の電子クーポン券の発行依頼に対応して電子クーポン券を配布する集客装置において、
店舗ＩＤに対応づけて店舗名、空数、位置情報を登録した店舗情報テーブルと、
店舗ＩＤの店舗の空数に対応づけて現在時刻から来店するまでの来店時間に対応づけて割引率を登録した割引率設定テーブルと、
携帯端末から電子クーポン配布依頼を受信した場合に、当該受信した携帯端末の位置情報を中心に所定距離範囲内あるいは所定時間範囲内の店舗ＩＤを前記店舗情報テーブルの位置情報を参照して検索する手段と、
前記検索された店舗ＩＤをもとに前記割引率設定テーブルを参照し、当該店舗ＩＤの店舗名と現在時刻から来店するまでの来店時間に対応づけた割引率を取り出す手段と、
前記取り出した店舗名と来店時間に対応づけた割引率のリストを作成し、前記携帯端末に返信する手段と、
前記リストを携帯端末に返信したことに対応して、当該リスト中から選択された店舗名と来店時間に対応する割引率を設定した電子クーポン券を返信し、前記携帯端末に保存させる手段と
を備えたことを特徴とする割引による集客装置。
【請求項２】
前記店舗情報テーブル中の空数は、店舗の端末から随時、空数の変更登録を受け付けて更新することを特徴とする請求項１記載の割引による集客装置。
【請求項３】
前記携帯端末に返信した電子クーポン券に、発行時間からの有効時間を設定して表示させることを特徴とする請求項１あるいは請求項２記載の割引による集客装置。
【請求項４】
前記割引率設定テーブルには、空数に対応づけて現在時刻から来店するまでの来店時間について、複数の来店時間帯に分割して所定の割引率をそれぞれ設定したことを特徴とする請求項１から請求項３のいずれかに記載の割引による集客装置。
【請求項５】
前記空数は、店舗の空卓数あるいは空席数としたことを特徴とする請求項１から請求項４のいずれかに記載の割引による集客装置。
【請求項６】
携帯端末からの店舗の電子クーポン券の発行依頼に対応して電子クーポン券を配布する割引券配布方法において、
店舗ＩＤに対応づけて店舗名、空数、位置情報を登録した店舗情報テーブルと、
店舗ＩＤの店舗の空数に対応づけて現在時刻から来店するまでの来店時間に対応づけて割引率を登録した割引率設定テーブルとを設け、
コンピュータが備える手段が、
携帯端末から電子クーポン配布依頼を受信した場合に、当該受信した携帯端末の位置情報を中心に所定距離範囲内あるいは所定時間範囲内の店舗ＩＤを前記店舗情報テーブルの位置情報を参照して検索するステップと、
前記検索された店舗ＩＤをもとに前記割引率設定テーブルを参照し、当該店舗ＩＤの店舗名と現在時刻から来店するまでの来店時間に対応づけた割引率を取り出すステップと、
前記取り出した店舗名と来店時間に対応づけた割引率のリストを作成し、前記携帯端末に返信するステップと、
前記リストを携帯端末に返信したことに対応して、当該リスト中から選択された店舗名と来店時間に対応する割引率を設定した電子クーポン券を返信し、前記携帯端末に保存させるステップと
を実行することを特徴とする割引券配布方法。
【発明の詳細な説明】
【技術分野】
【０００１】
本発明は、携帯端末からの店舗の電子クーポン券の発行依頼に対応して電子クーポン券を配布する割引による集客装置および割引券配布方法に関するものである。
【背景技術】
【０００２】
従来、顧客が飲食店に来店を促進する割引サービスに利用されるクーポン券を、インターネットを通じて配布している。クーポン券の取得方法として、パソコンや携帯端末から飲食店のホームページにアクセスしクーポン券をダウンロードしていた。
【０００３】
この際、携帯端末の位置から近隣の店舗の電子クーポン券を配布することも行われている。
【０００４】
また、来店した顧客の入店待ち時間や空席状況に対応して注文アイテムの金額を割り引く割引率情報を算出し、画面に表示する技術がある（特許文献１）。
【特許文献１】特開２００６−２６０１４４号公報の［００２０］等参照
【発明の開示】
【発明が解決しようとする課題】
【０００５】
しかし、上述した従来の技術では、携帯端末の位置情報から近隣の店舗の電子クーポン券を自動検索して取得できるが、利用者側から見れば、実際にその店舗に行くと満席であったりする場合があり、使い勝手が悪いという問題があった。また、店舗側から見れば、現在は空席がありすぐに来店して欲しい場合や、現在は満席に近く少し時間を置いてから来店して欲しい場合などがあり、柔軟に対応できないという問題があった。
【０００６】
また、来店してからでないと割引率情報を見れないのでは、事前に割引率の高い時間帯に来店しようとしてもできないという問題があった。
【課題を解決するための手段】
【０００７】
本発明は、これらの問題を解決するため、携帯端末からの店舗の電子クーポン券の発行依頼に対応して電子クーポン券を配布する電子クーポン配布装置において、店舗ＩＤに対応づけて店舗名、空数、位置情報を登録した店舗情報テーブルと、店舗ＩＤの店舗の空数に対応づけて現在時刻から来店するまでの来店時間に対応づけて割引率を登録した割引率設定テーブルと、携帯端末から電子クーポン配布依頼を受信した場合に、受信した携帯端末の位置情報を中心に所定距離範囲内あるいは所定時間範囲内の店舗ＩＤを前記店舗情報テーブルの位置情報を参照して検索する手段と、検索された店舗ＩＤをもとに割引率設定テーブルを参照し、店舗ＩＤの店舗名と現在時刻から来店するまでの来店時間に対応づけた割引率を取り出す手段と、取り出した店舗名と来店時間に対応づけた割引率のリストを作成し、携帯端末に返信する手段と、リストを携帯端末に返信したことに対応して、リスト中から選択された店舗名と来店時間に対応する割引率を設定した電子クーポン券を返信し、携帯端末に保存させる手段とを備えるようにしている。
【０００８】
この際、店舗情報テーブル中の空数は、店舗の端末から随時、空数の変更登録を受け付けて更新するようにしている。
【０００９】
また、携帯端末に返信した電子クーポン券に、発行時間からの有効時間を設定して表示させるようにしている。
【００１０】
また、割引率設定テーブルには、空数に対応づけて現在時刻から来店するまでの来店時間について、複数の来店時間帯に分割して所定の割引率をそれぞれ設定するようにしている。
【００１１】
また、空数は、店舗の空卓数あるいは空席数とするようにしている。
【発明の効果】
【００１２】
本発明は、携帯端末から電子クーポン配布依頼を受信した場合に、受信した携帯端末の位置情報を中心に所定距離範囲内あるいは所定時間範囲内の店舗ＩＤを店舗情報テーブルの位置情報を参照して検索し、検索された店舗ＩＤをもとに割引率設定テーブルを参照し、店舗ＩＤの店舗名と現在時刻から来店するまでの来店時間に対応づけた割引率を取り出し、取り出した店舗名と来店時間に対応づけた割引率のリストを作成し、携帯端末に返信し、リスト中から選択された店舗名と来店時間に対応する割引率を設定した電子クーポン券を返信し、携帯端末に保存させることにより、店舗の空数に対応した適切な割引率を動的に設定した電子クーポン券を顧客に配布し、顧客の電子クーポン券の利便性を向上させると共に店舗側の来店顧客率の促進を図ることが可能となる。
【発明を実施するための最良の形態】
【００１３】
本発明は、携帯端末から電子クーポン配布依頼を受信した場合に、受信した携帯端末の位置情報を中心に所定距離範囲内あるいは所定時間範囲内の店舗ＩＤを店舗情報テーブルの位置情報を参照して検索し、検索された店舗ＩＤをもとに割引率設定テーブルを参照し、店舗ＩＤの店舗名と現在時刻から来店するまでの来店時間に対応づけた割引率を取り出し、取り出した店舗名と来店時間に対応づけた割引率のリストを作成し、携帯端末に返信し、リスト中から選択された店舗名と来店時間に対応する割引率を設定した電子クーポン券を返信して携帯端末に保存させ、店舗の空数に対応した適切な割引率を動的に設定した電子クーポン券を顧客に配布し、顧客の電子クーポン券の利便性を向上させると共に店舗側の来店顧客率の促進を図ることを実現した。
【実施例１】
【００１４】
図１は、本発明のシステム構成図を示す。
【００１５】
図１において、電子クーポン配布装置１は、携帯端末２やノートパソコン３などからの要求に応じて電子クーポン券を配布するものであって、１１から１９などから構成されるものである。
【００１６】
送受信手段１１は、ネットワークであるインターネット５を介して携帯端末２、ノートパソコン３、店舗端末４との間でデータの送受信を行うものである。
【００１７】
店舗リスト作成手段１２は、携帯端末２などからの電子クーポン券の要求に応じて、当該携帯端末２の位置情報をもとに所定距離あるいは所定時間範囲内の店舗を検索してリストを作成するものである（図２を用いて後述する）。
【００１８】
電子クーポン作成手段１３は、顧客が店舗リストから選択した店舗の電子クーポン券を作成するものである（図２を用いて後述する）。
【００１９】
割引率設定手段１５は、電子クーポン券に割引率を設定するものである（図２、図３を用いて後述する）。
【００２０】
空数情報設定手段１６は、店舗の空数を設定するものである（図４の（ａ）参照）。
【００２１】
店舗情報ＤＢ１７は、電子クーポン券の配布対象の店舗の情報を登録したものであって、ここでは、店舗情報テーブル１８、割引率設定テーブル１９などから構成するものである。
【００２２】
店舗情報テーブル１８は、店舗ＩＤに対応づけて店舗名、位置情報、空数などを登録するものである（図４の（ａ）参照）。
【００２３】
割引率設定テーブル１９は、店舗ＩＤ毎に、空数に対応した来店時間の割引率を設定するものである（図４の（ｂ）参照）。
【００２４】
携帯端末２は、顧客が所持する携帯端末であって、ここでは、電子クーポン配布装置１のＵＲＬにアクセスして（あるいは電子メールで）電子クーポン券の配布を受けるものであり、ＧＰＳ２１などを備えたものである。
【００２５】
ＧＰＳ２１は、複数の衛星からの信号をもとに現在位置情報を生成する公知のものである。尚、ここでは、携帯端末２の位置情報を当該携帯端末２に内臓したＧＰＳにより取得するとして以下説明するが、他に携帯端末２がいずれの１つあるいは複数の基地局との間での信号の授受ができたかにより当該基地局の位置情報をもとに携帯端末２の位置情報を割り出すようにしてもよい。
【００２６】
ノートパソコン３は、携帯型のノートパソコンであって、顧客が所持するものであり、ここでは、ＧＰＳ３１などを備えたものである。ＧＰＳ３１は、上述したＧＰＳ２１と同じものである。
【００２７】
店舗端末４は、店舗に配置した端末であって、ここでは、登録手段４１などを設けたものである。
【００２８】
登録手段４１は、インターネット５を経由して電子クーポン配布装置１に接続し（あるいは電子メールで）、店舗情報テーブル１８中の店舗の空数を随時、登録し、現状の店舗の空数に更新したり、更に、割引率設定テーブル１９に空数と来店時間と割引率との関係を登録したりなどするものである。
【００２９】
インターネット５は、ネットワークの例であって、ここでは、電子クーポン配布装置１、携帯端末２、ノートパソコン３、店舗端末４などを接続してデータの送受信を行うためのネットワークである。
【００３０】
次に、図２のフローチャートの順番に従い、図１の構成の動作を詳細に説明する。
【００３１】
図２は、本発明の動作説明フローチャートを示す。
【００３２】
図２の（ａ）は、位置情報による店舗リスト作成処理のフローチャートを示す。
【００３３】
図２の（ａ）において、Ｓ１は、携帯端末２の位置情報から検索範囲を特定する。これは、図１の電子クーポン配布装置１を構成する店舗リスト作成手段１２が、携帯端末２のＧＰＳ２１から受信した位置情報をもとに、予め設定された所定距離（例えば４００ｍ）あるいは所定時間（例えば徒歩で１０分）という検索範囲を特定する。
【００３４】
Ｓ２は、検索範囲内で電子クーポン券のある店舗をチェックする。これは、Ｓ１で特定した検索範囲内に電子クーポン券を配布すると設定した店舗を検索、例えば携帯端末２の現在の位置情報（例えば緯度・経度）を中心に特定した検索範囲内（例えば４００ｍ範囲内、あるいは徒歩で１０分以内に相当する４００ｍ範囲内）にある店舗を、後述する図３の（ａ）の店舗情報テーブル１８中の各店舗の位置情報（例えば緯度・経度）を検索して抽出、例えば図３の（ａ）の店舗情報テーブル１８中の
・店舗ＩＤ”００１”の店舗名”トウガラシ”（登録商標）、空席数”４”
・店舗ＩＤ”００２”の店舗名”くっちゃいな”（登録商標）、空席数”６”
の２件の店舗を抽出する。
【００３５】
Ｓ３は、店舗リストを作成する。これは、Ｓ２で抽出した店舗リストを作成、例えば店舗名、現在時刻をもとに、後述する図３の（ｂ）の割引率設定テーブル１９を参照し、各店舗の空数に対応づけて登録されているエントリの来店時間に対応づけて登録されている割引率、ＵＲＬを取り出すことを全ての店舗について繰り返し、店舗リストを作成する。ここでは、例として、Ｓ２で抽出した２件の店舗について、店舗リストとして、下記のように作成する。
【００３６】
・店舗ＩＤ”００１”の店舗名”トウガラシ”、空席数”４”
・電子クーポン券のＵＲＬ：HTTP//WWW.TOUGARAHSI.COM/coupon 1
・空席状態：４
・割引率（来店時間（到着時間））：
・３％（２０分未満）
・５％（２０分〜４０分未満）
・１０％（４０分〜６０分）
・店舗ＩＤ”００２”の店舗名”くっちゃいな”、空席数”６”
・電子クーポン券のＵＲＬ：HTTP//WWW.KUCYAINA.COM/coupon 1
・空席状態：６
・割引率（来店時間（到着時間））：
・１０％（３０分未満）
・５％（３０分以上）
Ｓ４は、店舗リストを送信する。これは、Ｓ３で作成した店舗リストを、電子クーポン券を要求した携帯端末２に送信（返信）し、後述する図５の店舗リストを表示させる。
【００３７】
以上によって、図１の携帯端末２からインターネット５を介して電子クーポン配布装置１が電子クーポン券の要求を受けると（携帯端末２が所定ＵＲＬのホームページをアクセスしてダウンロードした当該ホームページ上から近隣の店舗の電子クーポン券の要求の送信を受けると）、図１の電子クーポン配布装置１が当該要求を受信し、店舗リスト作成手段１２がＳ１からＳ４の手順により、店舗リストを作成して携帯端末２に送信し、後述する図５の店舗リストを表示させることが可能となる。
【００３８】
次に、図２の（ｂ）を用いて図５の店舗リストの送信を受けた携帯端末２および電子クーポン配布装置１の動作を詳細に説明する。
【００３９】
図２の（ｂ）は、電子クーポン送信処理フローチャートを示す。
【００４０】
図２の（ｂ）において、Ｓ１１は、携帯端末２が一覧からＵＲＬをクリックする。これは、既述した図２の（ａ）のＳ４で送信された店舗リストを受信した携帯端末２が画面上に表示した図５の店舗リスト表示例上で、一覧からいずれか１つの店舗、ここでは、例えば店舗名”トウガラシ”をクリックする。クリックすると、当該クリックされた店舗名”トウガラシ”の部分にリンク付けされているＵＲＬ（HTTP//WWW.TOUGARAHSI.COM/coupon 1）でアクセスする。
【００４１】
Ｓ２１は、Ｓ１１のクリックに対応して、電子クーポン配布装置１がアクセスされたＵＲＬのクーポン画面を送信する。
【００４２】
Ｓ１２は、Ｓ２１で送信された電子クーポン券画面を携帯端末２に表示する。これは、送信された図６の（ａ）の電子クーポン券画面を携帯端末２に表示、例えば下記のように表示する。
【００４３】
トウガラシ  クーポン券
２００９年４月１日  １３：００発行
この画面をお店の人にお見せください。  
【００４４】
ただいま全品３％  ＯＦＦ！
［問い合わせボタン］
［地図表示ボタン］
ここで、「トウガラシ  クーポン券」は店舗名”トウガラシ”の電子クーポン券であることを表す。「２００９年４月１日  １３：００発行」は電子クーポン券を発行した日時を表す（有効時間が記載されている場合には、当該発行日時から当該有効時間の間のみ電子クーポン券として有効を表す）。「この画面をお店の人にお見せください。」は電子クーポン券の使い方の案内である。「ただいま全品３％  ＯＦＦ！」は電子クーポン券を見せた顧客には、割り引く内容を記載、ここでは、全品３％割引を表す。［問い合わせボタン］は、電子クーポン券が有効か否かなどを問い合わせるボタンである（Ｓ１４からＳ１５で後述する）。［地図表示ボタン］は、クリックすると、店舗への地図が表示（リンクづけされたＵＲＬをもとに電子クーポン配布装置１の該当ＵＲＬから地図をダウンロードして表示）されるものである。
【００４５】
Ｓ１３は、電子クーポン券を保存する。これは、携帯端末２で画面上に表示した電子クーポン券（図６の（ａ））を店舗に到着して入店したときに見せるために保存する。
【００４６】
以上のＳ１１からＳ１３によって、携帯端末２に表示された図５の店舗リスト中から１つの店舗をクリックして選択（あるいは更に、店舗に加えて時間帯を選択）すると、当該店舗の電子クーポン券を取得して保存、例えば図６の（ａ）の電子クーポン券を保存することが可能となる。
【００４７】
Ｓ１４は、問い合わせボタンを押下する。
【００４８】
Ｓ２２は、有効画面を送信する。
【００４９】
Ｓ１５は、有効画面を表示する。
【００５０】
Ｓ１６は、電子クーポン券を保存する。これらＳ１４からＳ１６は、電子クーポン券が有効か否かを問い合わせるボタンであって、例えば図６の（ａ）に図示の電子クーポン券を携帯端末２の画面に表示した状態で当該問い合わせボタンをクリックすると、現在時刻における有効な図６の（ｂ）の電子クーポン券画面（有効）が表示される。ここでは、電子クーポン券の発行日時から既に２０分を経過しており、５％の割引率となっている（更に、４０分を経過して６０分未満であると、１０％の割引率となる）（図５の店舗名”トウガラシ”の割引率（到着時間）を参照）。
【００５１】
以上のＳ１４からＳ１６によって、Ｓ１３で携帯端末２で保存した電子クーポン券について、その有効か否かを問い合わせるボタンを押下すると、現在の時刻をもとに、電子クーポン券の発行日時からの経過時間（＝到着時間、来店時間）を算出して現在有効な電子クーポン券（有効）を取得して保存、例えば図６の（ａ）の電子クーポン券の問い合わせボタンをクリックして図６の（ｂ）の電子クーポン券（有効）を取得して保存することが可能となる。
【００５２】
図３は、本発明の割引率設定処理フローチャートを示す。
【００５３】
図３において、Ｓ３１は、空数情報を受信する。これは、図１の電子クーポン配布装置１を構成する空数情報設定手段１６が、インターネット５を経由して店舗端末４から店舗の空数情報を受信する（電子メールで店舗の空数情報を受信、あるいは空数情報登録ＵＲＬに店舗端末４がアクセスして表示させた図示外の空数情報登録画面上から店舗の空数情報を入力して送信されたものを受信する）。
【００５４】
Ｓ３２は、店舗の割引率設定テーブルを参照する。
【００５５】
Ｓ３３は、割引率設定は有効か判別する。これらＳ３２、Ｓ３３は、Ｓ３１で受信した店舗の空数における、割引率の設定が有効かチェックするために、図４の（ｂ）の割引率設定テーブル１９を参照し、受信した店舗の空数で割引率が算出できるか判別する。ＹＥＳの場合には、受信した店舗の空数をもとに、割引率を算出できると判明したので、Ｓ３４で空数を図４の（ａ）の店舗情報テーブル１８の当該店舗の空数の欄に登録して更新し、終了する。ＮＯの場合には、店舗端末に、Ｓ３５で登録しようとする店舗の空数では割引率を設定（算出）できない旨のメッセージを表示させ、図４の（ｂ）の割引率テーブル１９の修正（あるいは追加等）を促す。
【００５６】
以上によって、店舗端末４２からの店舗を空数を図１の電子クーポン配布装置１の空数情報設定手段１６が受信した場合に（Ｓ３１）、図４の（ｂ）の割引率設定テーブル１９を参照して登録しようとする店舗の空数をもとに割引率が算出できると判明した場合には受信した店舗の空数を図４の（ａ）の店舗情報テーブル１８中の該当店舗の空数を更新登録し、一方、割引率を算出できないと判明した場合には店舗端末４に図４の（ｂ）の割引率設定テーブル１９の割引率情報の修正（あるいは追加など）を促すメッセージを送信することにより、店舗の空数を随時あるいはリアルタイムに更新登録し、既述した図２のフローチャートに従い、顧客が所持する携帯端末２の近辺の店舗について、店舗の空数に動的に対応した割引率を設定した電子クーポン券を取得することが可能となる。
【００５７】
図４は、本発明のテーブル例を示す。
【００５８】
図４の（ａ）は、店舗情報テーブルの例を示す。店舗情報テーブル１８は、店舗ＩＤに対応づけて店舗名、位置情報、空数などを登録して管理するものであって、ここでは、図示の下記の情報を対応づけて登録して管理するものである。
【００５９】
・店舗ＩＤ：
・店舗名：
・住所：
・位置情報（緯度・経度）：
・クーポン条件有無：
・空数：
・ＵＲＬ：
・その他：
ここで、店舗ＩＤ、店舗名、住所、位置情報（緯度・経度）は、店舗のＩＤ、店舗の名前、住所、位置情報（緯度・経度）である。クーポン条件有無は、店舗が電子クーポン券の配布（発行）の有無を設定する。空数は、店舗の席の空数あるいは卓の空数である。ＵＲＬは店舗のホームページのＵＲＬである。
【００６０】
以上のように、店舗ＩＤに対応づけて店舗名、位置情報、空数、ＵＲＬなどを対応づけて登録して管理し、空数については既述した図３のフローチャートに従い随時、あるいはリアルタイムに更新登録することにより、常に最新の店舗情報を登録して管理することが可能となる。
【００６１】
図４の（ｂ）は、割引率設定テーブルの例を示す。割引率設定テーブル１９は、店舗ＩＤ（店舗）の空数に対応づけて来店時間帯に応じた割引率を設定しておき、店舗の空数が変化したときに当該変化した空数に対応する割引率を算出（店舗の空数に応じて動的に最適（顧客および店舗側の両者に最適）な割引率を算出）するためのものであって、ここでは、図示の下記の情報を対応づけて登録したものである。
【００６２】
・店舗ＩＤ：
・空数：
・来店時間１：
・割引率１：
・来店時間２：
・割引率２：
・来店時間３：
・割引率３：
・有効／無効：
・その他：
ここで、店舗ＩＤは店舗のＩＤである。空数は店舗ＩＤの店舗の空数であって、空数が任意の範囲内のときの割引率を登録して割引率を算出するためのものである。来店時間１は顧客が電子クーポン券を取得してから店舗に来店した時刻までの時間（来店時間１）であって、割引率１は来店時間１のときに顧客が店舗に来店したときの割引率である。有効／無効は、エントリの情報が有効か無効かを設定する欄である。
【００６３】
例えば店舗ＩＤ”００１”の場合には、
空数  来店時間１  割引率１  来店時間２  割引率２  来店時間３  割引率３
0-5   20分未満    3％      20分〜40分   5％       40分〜60分  10％
6-10  20分未満    7％      20分〜40分   5％       40分〜60分   5％
11-15 20分未満   10％      20分〜40分   7％       40分〜60分   7％
と登録し、空数と来店時間に応じた割引率を電子クーポン券に設定することが可能となる。この例では、下記のように割引率が設定されている。
【００６４】
（１）  店舗の空数が０−５と少なく満杯に近い場合には、来店時間が２０分未満（来店時間１）と短いときには割引率１＝３％と小さく設定し、来店時間が４０分〜６０分（来店時間３）と長いときには割引率３＝１０％と大きくし、顧客ができるだけ遅く来店するように電子クーポン券を使って誘導することが可能となる。
【００６５】
（２）  店舗の空数が１１−１５と多い場合には、来店時間が２０分未満（来店時間１）と短いときには割引率３＝１０％と大きく設定し、来店時間が４０分〜６０分（来店時間３）と長いときには割引率３＝７％とし、顧客ができるだけ速く来店かつ多くの顧客が来店するように電子クーポン券を使って誘導することが可能となる。
【００６６】
図５は、本発明の店舗リスト表示例を示す。これは、既述した図２の（ａ）のＳ４で送信された店舗リストの例を示す。
【００６７】
図６は、本発明の電子クーポン券表示例を示す。
【００６８】
図６の（ａ）は、電子クーポン券画面の例を示す。これは、既述した図２の（ｂ）のＳ１２、Ｓ１３で携帯端末２の画面上に表示、保存した電子クーポン券の例を示す。
【００６９】
図６の（ｂ）は、電子クーポン券画面（有効）の例を示す。これは、既述した図３の（ａ）の電子クーポン券画面上の問い合わせボタンを押下したときに表示される電子クーポン券（有効）の例であって、図２の（ｂ）のＳ１５、Ｓ１６で携帯端末２の画面上に表示、保存した電子クーポン券の例を示す。
【産業上の利用可能性】
【００７０】
本発明は、店舗の空数に対応した適切な割引率を動的に設定した電子クーポン券を顧客に配布し、顧客の電子クーポン券の利便性を向上させると共に店舗側の来店顧客率の促進を図る割引による集客装置および割引券配布方法に関するものである。
【図面の簡単な説明】
【００７１】
【図１】本発明のシステム構成図である。
【図２】本発明の動作説明フローチャートである。
【図３】本発明の割引率設定処理フローチャートである。
【図４】本発明のテーブル例である。
【図５】本発明の店舗リスト表示例である。
【図６】本発明の電子クーポン券表示例である。
【符号の説明】
【００７２】
１：電子クーポン配布装置
１１：送受信手段
１２：店舗リスト作成手段
１３：電子クーポン作成手段
１５：割引率設定手段
１６：空数情報設定手段
１７：店舗情報ＤＢ
１８：店舗情報テーブル
１９：割引率設定テーブル
２：携帯端末
２１，３１：ＧＰＳ
３：ノートパソコン
４：店舗端末
４１：登録手段
５：インターネット
【図１】
2010231260.tif 000003
【図２】
2010231260.tif 000004
【図３】
2010231260.tif 000005
【図４】
2010231260.tif 000006
【図５】
2010231260.tif 000007
【図６】
2010231260.tif 000008